(57)【特許請求の範囲】
【請求項１】
入力されたペットに関する情報に基づき、前記ペットのダイエットに必要なダイエット情報を、前記ペットのダイエットフードの摂取時間毎の摂取量を指示する目盛が記載されたラベルの形式で作成し、前記作成されたダイエット情報に基づき、前記ラベルをプリントする支援装置と、所定サイズの蓋を有する、前記ダイエットフードを収容する容器とを備え、
前記プリントされたラベルの目盛は、当該ラベルが外周に貼り付けられ、前記ダイエットフードの計量カップとして使用される、前記容器の蓋のサイズに対応して記載されることを特徴とするペットのダイエット支援システム。
【請求項２】
前記支援装置は、サーバコンピュータと、前記サーバコンピュータにネットワークを介してアクセスするクライアントコンピュータとを備え、
前記ペットに関する情報を前記クライアントコンピュータから前記サーバコンピュータへ送信し、前記ダイエット情報を前記サーバコンピュータで作成して前記クライアントコンピュータへ送信し、前記クライアントコンピュータにおいて、前記ラベルをプリントする請求項１に記載のペットのダイエット支援システム。
【発明の詳細な説明】
【０００１】
【発明の属する技術分野】
本発明は、個々のペットに応じた適切なダイエットの実施を支援するペットのダイエット支援システムに関するものである。
【０００２】
【従来の技術】
従来、ペットフードには、「標準的」な給餌量が記載されている場合が多い。しかし、ペットの種類や体重によって個体差があり、あるペットにとっては記載された給餌量では多すぎて、ダイエット用のペットフードであるのにも係わらず、逆に過食気味となって太るという不都合が生じる場合があった。
【０００３】
【発明が解決しようとする課題】
本発明の目的は、前記従来技術に基づく問題点を解消し、個々のペットに応じて適切なダイエットを実施することができるペットのダイエット支援システムを提供することにある。
【０００４】
【課題を解決するための手段】
上記目的を達成するために、本発明は、入力されたペットに関する情報に基づき、前記ペットのダイエットに必要なダイエット情報を、前記ペットのダイエットフードの摂取時間毎の摂取量を指示する目盛が記載されたラベルの形式で作成し、前記作成されたダイエット情報に基づき、前記ラベルをプリントする支援装置と、所定サイズの蓋を有する、前記ダイエットフードを収容する容器とを備え、
前記プリントされたラベルの目盛は、当該ラベルが外周に貼り付けられ、前記ダイエットフードの計量カップとして使用される、前記容器の蓋のサイズに対応して記載されることを特徴とするペットのダイエット支援システムを提供するものである。
【０００５】
ここで、前記支援装置は、サーバコンピュータと、前記サーバコンピュータにネットワークを介してアクセスするクライアントコンピュータとを備え、
前記ペットに関する情報を前記クライアントコンピュータから前記サーバコンピュータへ送信し、前記ダイエット情報を前記サーバコンピュータで作成して前記クライアントコンピュータへ送信し、前記クライアントコンピュータにおいて、前記ラベルをプリントするのが好ましい。
【０００６】
【発明の実施の形態】
以下に、添付の図面に示す好適実施例に基づいて、本発明のペットのダイエット支援システムを詳細に説明する。
【０００７】
図１は、本発明に係るペットのダイエット支援システムの一実施例の構成概略図である。
同図に示すペットのダイエット支援システム１０は、個々のペットに応じた適切なダイエットの実施を支援するもので、サーバコンピュータ１２と、クライアントコンピュータ１４と、プリンタ１６と、ペット用のダイエットフードの容器１８とを備えている。
【０００８】
ここで、サーバコンピュータ１２内には、本発明の提案するダイエット支援サービスを提供するための専用ＷＷＷ（World Wide Web）サイト（専用ホームページ）が格納されている。サーバコンピュータ１２は、クライアントコンピュータ１４から送信されたペットに関する情報に基づいて、個々のペットに対応するダイエット情報を作成し、作成したダイエット情報をクライアントコンピュータ１４へ送信する機能を備えている。
【０００９】
上述するペットに関する情報は、サーバコンピュータ１２が、個々のペットに対応したダイエット情報を作成するために必要な情報であって、例えばペットの種類、性別、年齢、体重、病歴等の情報である。
【００１０】
また、ダイエット情報は、ペットが適切にダイエットを実施するために必要な情報、例えばダイエットフードの１日当りの摂取回数、摂取時間（摂取タイミング）、摂取時１回の当りの摂取量等の情報である。このダイエット情報は、ダイエットフードの摂取時毎の摂取量を指示する目盛が記載されたラベル２０の形式で提供される。このラベル２０は、プリントされてダイエットフードの容器１８の蓋２４の外周に貼り付けられて使用される。
【００１１】
なお、ペットに関する情報もダイエット情報も、上記以外の他の各種の情報を含んでいてもよい。また、ダイエット情報は、ラベル２０以外の形式で提供される情報を含んでいてもよい。
【００１２】
一方、クライアントコンピュータ１４は、ペットを飼育している人（飼育者）が使用するもので、インターネット等のネットワークを介して、サーバコンピュータ１２内に格納されている専用ＷＷＷサイトにアクセスし、前述のペットに関する情報をサーバコンピュータ１２に対して送信する機能、サーバコンピュータ１２から受信したダイエット情報を表示し、プリンタ１６を用いて、前述のラベル２０を紙等の媒体に印刷する機能等を備えている。
【００１３】
ペットの飼育者は、プリンタ１６によって印刷された紙等の媒体からラベル２０の部分を切り抜き、切り抜いたラベル２０をダイエットフードの容器１８の蓋２４の周囲（外壁）に貼り付け、この蓋２４をダイエットフードの計量カップとして使用する。言い換えると、ラベル２０に記載された目盛は、ダイエットフードの容器１８の蓋２４のサイズ（容量）に対応して正確な分量が計測可能なように記載されている。
【００１４】
なお、上記サーバコンピュータ１２およびクライアントコンピュータ１４，１６は、例えばパーソナルコンピュータ（ＰＣ）等のコンピュータによって構成され、インターネット等のネットワークを介して接続されている。
【００１５】
また、ペット用のダイエットフードの容器１８は、ペット用のダイエットフードを収容（保管）するためのもので、図１に示すように、容器本体２２と、蓋２４とによって構成される。図示例の場合、ペット用のダイエットフードの容器１８は中空円筒形状で、容器本体２２の開口部に蓋２４の開口部が嵌合するように構成されている。なお、ペット用のダイエットフードの容器１８の形状は、ラベル２０の目盛との対応が取れていれば何ら限定されない。
【００１６】
以下、図２に示すフローチャートを参照しながら、ペットのダイエット支援システム１０を利用する場合の動作を説明する。
【００１７】
本発明に係るペットのダイエット支援システム１０を利用するに際し、ペットの飼育者は、クライアントコンピュータ１４上で動作するＷＷＷブラウザ（ＷＷＷサイト閲覧ソフトウェア）を使用し、インターネット等のネットワークを介してサーバコンピュータ１２内に格納された専用ＷＷＷサイトにアクセスし、ペットに関する情報を入力（送信）する（Ｓ１）。
【００１８】
この時、ＷＷＷブラウザの表示画面（表示ウィンドウ）内には、この専用ＷＷＷサイトが表示される。飼育者は、この専用ＷＷＷサイト内に用意された、ペットに関する情報を入力するための専用の入力フォームの画面に対してペットに関する情報を入力した後、例えば‘送信’等のボタンをクリックする。これにより、入力されたペットに関する情報は、クライアントコンピュータ１４からサーバコンピュータ１２に対して送信される。
【００１９】
これに応じて、サーバコンピュータ１２は、クライアントコンピュータ１４からペットに関する情報を受信し、このペットに関する情報に基づいてダイエット情報を作成し、クライアントコンピュータ１４に対して送信する（Ｓ２）。
【００２０】
クライアントコンピュータ１４は、サーバコンピュータ１２からダイエット情報を受信し、これをＷＷＷブラウザの画面内に表示する（Ｓ３）。ＷＷＷブラウザの画面内には、例えば図３に示すように、ペットの飼育者が入力したペットに関する情報（種類、体重、年齢等の記載）の他、ダイエット情報が、飼育者の目で見て理解できる形式（理想的ダイエットプログラム、朝晩の記載）で表示されると共に、目盛を記載したラベル２０の形式で表示される。
【００２１】
飼育者は、プリンタ１６により、ダイエット情報を紙等の媒体に印刷し（Ｓ４）、印刷された紙等の媒体からラベル２０の部分を切り抜く。そして、図４に示すように、切り抜いたラベル２０をダイエットフードの容器１８の蓋２４の外周に貼り付け（Ｓ５）、この蓋２４をダイエットフード用の計量カップとして使用する。すなわち、蓋２４の外周に貼り付けられたラベル２０の目盛を参考にし、例えば朝晩の２回、ペットにそれぞれ適量のダイエットフードを与える。
【００２２】
これにより、飼育者は、ペットの種類や体重等に対応した最適なダイエットを実施することができる。
【００２３】
なお、上記実施例では、サーバコンピュータ１２とクライアントコンピュータ１４を備え、ペットに関する情報をサーバコンピュータ１２へ送信して、サーバコンピュータ１２でダイエット情報を作成し、クライアントコンピュータ１４でラベル２０をプリントするようにしているが、本発明はこれに限定されず、例えばクライアントコンピュータ１４上で動作するソフトウェアプログラムによってダイエット情報を作成し、ラベル２０をプリントするようにしてもよい。
【００２４】
本発明のペットのダイエット支援システムは、基本的に以上のようなものである。
以上、本発明のペットのダイエット支援システムについて詳細に説明したが、本発明は上記実施例に限定されず、本発明の主旨を逸脱しない範囲において、種々の改良や変更をしてもよいのはもちろんである。
【００２５】
【発明の効果】
以上詳細に説明した様に、本発明のペットのダイエット支援システムは、ペットに関する情報に基づいてダイエット情報を作成し、このダイエット情報に基づいて、ペットのダイエットフードの摂取量を指示する目盛が記載されたラベルをプリントし、このプリントされたラベルをダイエットフードの容器の蓋の周囲に貼り付け、この蓋をダイエットフードの計量カップとして使用するようにしたものである。
これにより、本発明のペットのダイエット支援システムによれば、個々のペットの種類や体重等の個体差に対応した適切なダイエットを実施することができる。
【図面の簡単な説明】
【図１】  本発明に係るペットのダイエット支援システムの一実施例の構成概略図である。
【図２】  本発明に係るペットのダイエット支援システムの動作を表す一実施例のフローチャートである。
【図３】  ＷＷＷブラウザの表示画面の一実施例の概念図である。
【図４】  ラベルが貼り付けられたペット用のダイエットフードの容器の蓋の一実施例の概略図である。
【符号の説明】
１０  ペットのダイエット支援システム
１２  サーバコンピュータ
１４  クライアントコンピュータ
１６  プリンタ
１８  ダイエットフードの容器
２０  ラベル
２２  容器本体
２４  蓋
【図１】
0004713771.tif 000002
【図２】
0004713771.tif 000003
【図３】
0004713771.tif 000004
【図４】
0004713771.tif 000005